(57)【要約】  【課題】  視度調整を必要とする人が調整して、望遠鏡を覗いた後、接眼レンズを自動的に中立位置に戻る望遠鏡の視度調整機構を提供する。  【解決手段】  望遠鏡の接眼レンズの配置位置を光軸方向に変更して、合焦を微調整するための視度調整機構であって、接眼レンズを、中立位置を挟んで光軸方向の一方向及び他方向に位置変更させるための視度調整体と、視度調整体を介して接眼レンズを中立位置に付勢させるためのコイルスプリングとが備えられ、視度調整体は望遠鏡に対して回転自由に設けられている。  【選択図】  図２
2005107421.tif 000002
【特許請求の範囲】
【請求項１】
望遠鏡の接眼レンズの配置位置を光軸方向に変更して、合焦を微調整するための視度調整機構であって、
接眼レンズを、中立位置を挟んで光軸方向の一方向及び他方向に位置変更させるための視度調整体と、視度調整体を介して接眼レンズを中立位置に付勢させるための付勢手段とが備えられていることを特徴とする望遠鏡の視度調整機構。
【請求項２】
視度調整体が望遠鏡に対して回転自由に設けられていることを特徴とする請求項１に記載の望遠鏡の視度調整機構。
【請求項３】
付勢手段が、スプリング部材から構成されていることを特徴とする請求項１または２に記載の望遠鏡の視度調整機構。
【発明の詳細な説明】
【技術分野】
【０００１】
本発明は、望遠鏡の視度調整機構に関する。
【背景技術】
【０００２】
一般に望遠鏡には、ラックアンドピニオン機構などから構成される合焦装置が搭載されている。
【０００３】
この合焦装置の構成を簡単に説明すると、例えば反射式望遠鏡では、主鏡及び副鏡が搭載された鏡胴の一端側に支持筒が設けられ、この支持筒には合焦筒が挿入されて、この合焦筒が光軸方向に移動可能な状態となっており、この合焦筒の先端部には、接眼レンズ用スリーブを介して接眼レンズが取り付けられている。
【０００４】
そして支持筒に回転可能に設けたピニオンを、合焦筒に設けたラックに噛み合せ、調整摘みの回転操作により、ピニオンを正転若しくは逆転させることにより、ラックを介して合焦筒を光軸方向に移動させて、合焦を行なうようにしている。（特許文献１参照）
【特許文献１】登録実用新案第３０１６７２３号  ところで、例えば近視や遠視の観察者は、視力の相違により、正視の観察者とは合焦位置が若干前後にずれるものであって、そのため、前述の合焦装置に加え、観察者の視力に合わせて例えば接眼レンズを光軸方向に移動させて合焦位置を微調整するための調整レバーを備えた視度調整機能が設けられた望遠鏡も開発されている。
【０００５】
この視度調整機構は、望遠鏡の利用者がそれぞれ調整レバーを操作して、接眼レンズの位置を微調整することで、視度調整を行なうようにしている。
【０００６】
ところで、公の施設などに備えられて、不特定多数の人々に利用してもらう望遠鏡では、  例えば天体観察に際して、予め施設のオペレータ（専門家）が合焦装置の操作により合焦を行った上で、不特定多数の人々に順番に望遠鏡を覗いてもらうのが一般的であるが、前述のごとく観察者の視力の如何によりその合焦位置が異なることから、近視や遠視の各観察者は、望遠鏡に搭載された視度調整機構の調整レバーを操作して、ピントを合わせている。
【０００７】
しかしながら、例えば近視や遠視の人が観察を終えて、次に正視の人が観察する場合でも、その都度、視度調整機構を操作して、合焦位置を調整し直す必要があり、その操作が非常に手間を要して、特に観察者が多数の場合に、観察活動がスムーズに行なえない不具合がある。
【発明の開示】
【発明が解決しようとする課題】
【０００８】
本発明は以上の実情に鑑みて開発したものであって、目的とするところは、視度調整を必要とする人が調整して、望遠鏡を覗いた後、自動的に中立位置に戻る望遠鏡の視度調整機構を提供するにある。
【課題を解決するための手段】
【０００９】
以上の目的を達成するため、請求項１に記載の発明は、望遠鏡の接眼レンズの配置位置を光軸方向に変更して、合焦を微調整するための視度調整機構であって、接眼レンズを、中立位置を挟んで光軸方向の一方向及び他方向に位置変更させるための視度調整体と、視度調整体を介して接眼レンズを中立位置に付勢させるための付勢手段とが備えられていることを特徴とするものである。
【００１０】
請求項１に記載の視度調整機構では、例えば近視の人や遠視の人が操作した視度調整体から手を離すだけで、視度調整体及び接眼レンズが中立位置に戻るのである。
【００１１】
また請求項２に記載の発明は、請求項１に記載の視度調整体が望遠鏡に対して回転自由に設けられていることを特徴とするものである。
【００１２】
請求項２に記載の視度調整機構では、視度調整に際して視度調整体の回転操作により、調整が行なえる。
【００１３】
請求項３に記載の発明は、請求項１または２に記載の付勢手段が、スプリング部材から構成されていることを特徴とするものである。
【００１４】
請求項３に記載の視度調整機構では、付勢手段が簡単な構成となって、視度調整機構全体の構成も簡略化できる。
【発明の効果】
【００１５】
請求項１に記載の発明によれば、視度調整体を操作した人が、視度調整体から手を離すだけで、付勢手段により、自動的に視度調整体及び接眼レンズが中立位置に戻されるので、例えば近視や遠視の人が観察を終えて、次に正視の人が観察する場合でも、従来のように合焦位置を調整し直す必要がなく、従って、例えば観察者が多数の場合でも観察活動がスムーズに行なうことが出来る。
【００１６】
請求項２に記載の発明によれば、視度調整に際して視度調整体の回転操作によりその調整が行なえるので、操作性がよい。
請求項３に記載の発明によれば、付勢手段がスプリング部材から構成されることにより、、視度調整機構全体の構成が簡略化できて、視度調整機構の小型化が図れるし、また視度調整機構の製造コストも安価とすることが出来る。
【発明を実施するための最良の形態】
【００１７】
図１は、本発明にかかる視度調整機構が搭載されたカセグレン方式の反射式望遠鏡を概略的に示したものである。
【００１８】
この反射式望遠鏡は、凹面鏡から構成された主鏡２が鏡胴１の像点側に設けられて、その光軸が鏡胴１の物点側開口１０の中心に向けられている。
【００１９】
また、鏡胴１の物点側には、副鏡２０が支持枠１１により取り付けられ、この副鏡２０の鏡面が主鏡２の鏡面と対向している。
【００２０】
以上の望遠鏡は、入射光Ｂ１が平行光束になって、物点側開口１０から入射し、主鏡２の鏡面で反射される。この一次反射光Ｂ２は円錐状の収斂光束となって副鏡２０に入射するのであって、この一次反射光Ｂ２の光軸は、主鏡２の光軸と一致する。
【００２１】
そしてさらに一次反射光Ｂ２は、副鏡２０によって反射されて、同じく円錐状に収斂する二次反射光Ｂ３となり、主鏡２の中心に設けられた支持筒１２を通過して接眼部３の接眼レンズ３０に達するようにしている。
【００２２】
接眼部３は、支持筒１２に対して軸方向にスライド可能に嵌めこまれる合焦筒３１と、接眼レンズ３０が組み込まれた接眼レンズ用スリーブ３２が備えられている。
【００２３】
そして支持筒１２と接眼部３の合焦筒３１との間には、ラックアンドピニオン機構から構成される合焦装置４が組み込まれ、また合焦筒３１と接眼レンズ用スリーブ３２との間には、本発明にかかる視度調整機構５が組み込まれている。
【００２４】
合焦装置４は、図１に示すように、支持筒１２に回転自由に組み付けられた調整ツマミ４１と、この調整ツマミ４１の回転操作に連動して回転するピニオン４２と、合焦筒３１の外面に設けられて、前述のピニオン４２が噛み合うラック４３とから構成され、調整ツマミ４１の回転操作により、ピニオン４２を正転若しくは逆転させることにより、ラック４３を介して合焦筒３１を光軸方向に移動させて、合焦を行なうようにしている。
【００２５】
視度調整機構５は、図２にも示すように、
合焦筒３１の先端に組み付けられる固定筒５１と、
固定筒５１に対して回転及び光軸方向に移動可能な可動筒５２と、
固定筒５１に対して可動筒５２を光軸方向に移動させる操作を行なうための略リング状の視度調整体５３と、
視度調整体５３の操作により可動筒５２を連動させて、この可動筒５２を固定筒５１に対して光軸方向に移動させ、接眼レンズ３０を中立位置を挟んで光軸方向の一方向（具体的には、接眼レンズ３０を中立位置を挟んで主鏡２に近づく方向（図２において矢印Ｐ１方向））及び他方向（具体的には、接眼レンズ３０を中立位置を挟んで主鏡２から遠ざかる方向（図２において矢印Ｐ２方向））に位置変更させる連動機構６と、
視度調整体５３を介して接眼レンズ３０を中立位置に付勢させるための付勢手段としてのコイルスプリング７とが備えられている。
【００２６】
固定筒５１は、その長さ方向一端部が合焦筒３１の先端部内に嵌め込まれて、合焦筒３１に装着された固定螺子３１ａの締付けにより合焦筒３１に固定されている。
【００２７】
可動筒５２は、固定筒５１内に移動可能に嵌め込まれると共に、その先端部内には接眼レンズ用スリーブ３２が嵌め込まれて、可動筒５２の先端部に装着した固定螺子５２ａの締めつけにより、接眼レンズ用スリーブ３２が可動筒５２の先端部に固定されている。
【００２８】
視度調整体５３は、内周面に突設した環状ガイド体５３ａと外側面にビス止めしたガイドプレート５３ｂとで、固定筒５１の先端部外周に突設した環状凸部５１ａの両側面を挟むことで、固定筒５１に対し回転のみ可能に取り付けられている。
【００２９】
連動機構６は、可動筒５２の外周面に形成された軸方向に延びるガイド溝６１と、視度調整体５３に組み付けられてその先端が前述のガイド溝６１に嵌合する連動ピン６２と、固定筒５１の内周面に形成された複数の凹溝６３と、可動筒５２の外周面に形成された螺旋溝６４と、凹溝６３と螺旋溝６４との対向部間に介装される複数のボール６５とから構成されている。
【００３０】
そして視度調整体５３の回転操作により、可動筒５２が連動ピン６２を介して固定筒５１に対して回転すると共に、固定筒５１に対する可動筒５２の回転に伴い、凹溝６３及び螺旋溝６４に嵌っているボール６５を介して可動筒５２が固定筒５１に対して光軸方向に移動するようにしている
具体的には、視度調整体５３を図３において矢印Ｘ方向に回転させることで、可動筒５２、換言すれば接眼レンズ３０が固定筒５１に対して主鏡２に近づく方向（図２において矢印Ｐ１方向））に移動するようにし、また視度調整体５３を図３において矢印Ｙ方向に回転させることで、可動筒５２、換言すれば接眼レンズ３０が固定筒５１に対して主鏡２から遠ざかる方向（図２において矢印Ｐ２方向））に移動するようにしている。
【００３１】
接眼レンズ３０を中立位置に付勢させるためのコイルスプリング７は、図２にも示すように、固定筒５１の先端部に設けた環状溝５８内に嵌め込まれるのであって、このコイルスプリング７の両端には、図３にも示すように、径方向外方に延びる左右一対の脚７１・７２が一体に設けられている。
【００３２】
一方、図３にも示すように、固定筒５１の端面にはコイルスプリング７の脚７１・７２を係止する左右一対の係止突起５４・５５が設けられ、また視度調整体５３における環状ガイド体５３ａの内側面で且つ係止突起５４・５５と対応する位置には、コイルスプリング７の脚７１・７２を引っ掛けて移動させるための左右一対の掛止突起５６・５７が設けられている。
【００３３】
そしてコイルスプリング７のコイルを絞り込んで、左右の脚７１・７２を互いに近接させた上で、図３に示すように、左脚７１を左側係止突起５４及び左側掛止突起５６に引っ掛けると共に、右脚７２を右側係止突起５５及び右側掛止突起５７に引っ掛け、コイルスプリング７のばね力により、両脚７１・７２を互いに離間する方向に付勢させるようにしている。
【００３４】
以上のコイルスプリング７は、そのばね力により、常時は視度調整体５３は図３に示す位置（中立位置）で停止しており、図３に示す位置（中立位置）から、視度調整体５３を矢印Ｘ方向に回転させると、コイルスプリング７の左脚７１が視度調整体５３の左側掛止突起５６に引っ掛けられて、図４に示すように、矢印Ｘ方向に移動するのであって、この時、右脚７２は右側係止突起５５で受け止められている。従って、コイルスプリング７のコイルは更に絞り込まれて、ばね力を増大することとなる。
【００３５】
そして、図４に示す状態から操作している手を視度調整体５３から離すと、コイルスプリング７のばね力により、視度調整体５３は図４において矢印Ｙ方向に回転して、図３に示す位置に戻る。
【００３６】
一方、図３に示す位置（中立位置）から視度調整体５３を矢印Ｙ方向に回転させると、コイルスプリング７の右脚７２が視度調整体５３の右側掛止突起５７に引っ掛けられて、図５に示すように、移動するのであって、この時、左脚７１は左側係止突起５４で受け止められている。従って、以上の場合にあっても、コイルスプリング７のコイルは更に絞り込まれて、ばね力を増大することとなる。
【００３７】
そして、図５に示す状態から操作している手を視度調整体５３から離すと、コイルスプリング７のばね力により、視度調整体５３は図５において矢印Ｘ方向に回転して、図３に示す位置に戻る。
【００３８】
次に以上の構成からなる視度調整機構５を搭載した望遠鏡により天体観察を行なう場合には、専門家（オペレータ）が、合焦装置４を操作して、観察したい天体にピントを合わせた後、適宜、観察者が接眼レンズを覗いて天体観察を行なうのである。
【００３９】
ところで、観察者が近視若しくは遠視であって、接眼レンズ３０を覗いてもピントが合っていないときには、観察者が視度調整体５３を適宜回転させて、接眼レンズ３０を中立位置から所定の方向にピントが合うまで移動させるのである。
【００４０】
即ち、例えば観察者が近視である場合には、視度調整体５３を図３において矢印Ｘ方向に回転させて、接眼レンズ３０を、接眼レンズ３０が固定筒５１に対して主鏡２に近づく方向（図２において矢印Ｐ１方向））に移動させ、また観察者が遠視である場合には、視度調整体５３を図３において矢印Ｙ方向に回転させて、接眼レンズ３０を、接眼レンズ３０が固定筒５１に対して主鏡２から遠ざかる方向（図２において矢印Ｐ２方向））に移動させるのである。
【００４１】
そして天体の観察を終了して、観察者が視度調整体５から手を離すと、視度調整体５は、コイルスプリング７のばね力により、図４若しくは図５に示す状態から図３に示す状態に自動的に回転して、これにより連動機構６を介して接眼レンズ３０も中立位置に復帰するのである。
【００４２】
従って、例えば次に正視の観察者が天体観察する場合に視度調整体５を操作して合焦位置を調整し直す必要がないし、オペレータにあっても再度合焦作業を行なう必要がないので、観察者が多数の場合でも観察活動がスムーズに行なうことが出来る。
【００４３】
以上の実施形態では、付勢手段としてコイルスプリング７を用いたが、これに限定されるものではない。
【００４４】
また以上の実施形態では、反射式望遠鏡に搭載する視度調整機構に適用したが、これに限定されるものではなく、屈折式望遠鏡に搭載する視度調整機構に適用してもよい。
【図面の簡単な説明】
【００４５】
【図１】本発明にかかるが搭載された反射式望遠鏡の概略説明図。
【図２】同、要部の拡大断面図。
【図３】視度調整機構の作動説明図。
【図４】視度調整機構の作動説明図。
【図５】視度調整機構の作動説明図。
【符号の説明】
【００４６】
１        鏡胴
２        主鏡
２０      副鏡
３        接眼部
４        合焦装置
５        視度調整機構
５３      視度調整体
６        連動機構
７        コイルスプリング（付勢手段）
【図１】
2005107421.tif 000003
【図２】
2005107421.tif 000004
【図３】
2005107421.tif 000005
【図４】
2005107421.tif 000006
【図５】
2005107421.tif 000007